(57)【要約】【課題】撮影画像、撮影位置が位置する複数の施設名を同一の印刷用紙に印刷。【解決手段】画像ランドマーク名印刷装置２は、ＣＰＵ３、ＲＯＭ４、ＲＡＭ５、ＬＣＤ６、選択操作部７、印刷部８を備える。ＣＰＵ３は、メモリカード１５から読み取った画像データを、画像一覧表示画面にサムネイル画像として表示する。サムネイル画像を選択すると、ＣＰＵ３は、選択した画像の撮影位置のランドマーク名を検索する。ＬＭ名表示部に、ランドマーク名を、ランドマーク内に位置する検索されたランドマークの数量が多い順に表示する。ランドマーク名を印刷する印刷用紙の面（例えば、表面）及び位置（例えば、右下部）を決定し、印刷ボタンを操作すると、印刷部８は、画像を印刷用紙に印刷するとともに、印刷用紙の表面の右下部に、検索されたランドマーク名（「α遊園地  β観覧車」）を印刷する。【選択図】図１
2007190831.tif 000002
【特許請求の範囲】
【請求項１】
撮影位置の位置データを有する撮影画像データに基づいて、施設の位置及び名称データを含む施設データを有する地図データから前記撮影位置が位置する施設の施設データを検索する施設検索手段と、
前記撮影画像と前記施設検索手段で検索された施設データの施設名とを同一の印刷用紙に印刷する印刷手段と、を備えた画像施設名印刷装置であって、
前記印刷手段は、前記施設検索手段で複数の施設データが検索されたときに、前記検索された複数の施設データの施設名を印刷することを特徴とする画像施設名印刷装置。
【請求項２】
前記印刷手段は、前記施設検索手段で検索された複数の施設名を、施設内に位置する他の施設との包含関係に基づいて印刷することを特徴とする請求項１記載の画像施設名印刷装置。
【請求項３】
前記施設検索手段で検索された施設名を表示する検索施設名表示手段を備えたことを特徴とする請求項１または２記載の画像施設名印刷装置。
【請求項４】
前記施設検索手段で検索された施設に近接する施設名を一覧表示する近接施設名表示手段と、
操作可能に設けられ、前記近接施設名表示手段に表示された各施設名のうちのいずれかを選択する選択操作手段と、を備え、
前記選択操作手段で各施設名のうちのいずれかを選択したときに、前記印刷手段は、前記施設検索手段で検索された施設名に代えて、前記選択操作手段で選択した施設名を印刷することを特徴とする請求項１ないし３いずれか１つ記載の画像施設名印刷装置。
【請求項５】
前記近接施設名表示手段は、各施設名を、前記施設検索手段で検索された施設に近い順に一覧表示することを特徴とする請求項４記載の画像施設名印刷装置。
【請求項６】
前記撮影画像データを一覧表示する一覧表示手段と、
前記一覧表示手段で表示された前記撮影画像データのうちのいずれかを選択したときに、選択された撮影画像データを拡大表示する選択画像表示手段と、を備え、
前記印刷手段は、前記選択された撮影画像と、この選択された撮影画像の撮影位置が位置する施設名と、を印刷することを特徴とする請求項１ないし５いずれか１つ記載の画像施設名印刷装置。
【請求項７】
前記施設名を前記印刷用紙の表面及び裏面のいずれの面に印刷するかを決定するとともに、前記施設名を前記印刷用紙上のいずれの位置に印刷するかを決定する印刷位置決定手段を備えたことを特徴とする請求項１ないし６いずれか１つ記載の画像施設名印刷装置。
【請求項８】
前記撮影画像データと前記施設データとを関連付けて記憶する画像データ記憶手段を備えたことを特徴とする請求項１ないし７いずれか１つ記載の画像施設名印刷装置。
【請求項９】
前記地図データを記憶する地図データ記憶手段を備えたことを特徴とする請求項１ないし８いずれか１つ記載の画像施設名印刷装置。
【請求項１０】
前記地図データを記憶した外部データサーバーと通信可能な通信手段を備えたことを特徴とする請求項１ないし９いずれか１つ記載の画像施設名印刷装置。
【請求項１１】
撮影位置の位置データを有する撮影画像データに基づいて、施設の位置及び名称データを含む施設データを有する地図データから前記撮影位置が位置する施設の施設データを検索し、
前記撮影画像と前記検索された施設データの施設名とを同一の印刷用紙に印刷する画像施設名印刷方法であって、
前記施設データの検索で複数の施設データが検索されたときに、前記検索された複数の施設データの施設名を印刷することを特徴とする画像施設名印刷方法。
【請求項１２】
前記検索された複数の施設名を、施設内に位置する他の施設との包含関係に基づいて印刷することを特徴とする請求項１１記載の画像施設名印刷方法。
【発明の詳細な説明】
【技術分野】
【０００１】
本発明は、撮影画像と撮影位置が位置する施設名とを印刷する画像施設名印刷装置及び方法に関するものである。
【背景技術】
【０００２】
近年、撮影した画像を画像データとして保存し、保存した画像データをＬＣＤ等で表示させることにより、撮影画像を印刷することなく撮影画像を見ることができるデジタルカメラが広く普及している。印刷したプリント写真は、アルバム等に整理することにより、効率よく分類及び検索を行うことができる。一方、デジタルカメラで撮影した画像データは、プリント写真に比べて劣化しないというメリットがあるが、分類及び検索する手間がかかるという問題があった。
【０００３】
また、近年では、ＧＰＳ（Ｇｌｏｂａｌ  Ｐｏｓｉｔｉｏｎｉｎｇ  Ｓｙｓｔｅｍ）測位システムを利用して、撮影地点の位置データを画像データに付与して記憶することができるデジタルカメラ（例えば、ＧＰＳ機能を有するカメラ付き携帯電話）も普及してきており、このようなデジタルカメラを用いて、撮影された画像データに付与された位置データから撮影地点の地名や建物名等のランドマーク名を特定する技術が提案されている（例えば、特許文献１及び特許文献２参照）。
【０００４】
特許文献１の画像処理装置、画像処理方法及び記憶媒体では、撮影した画像情報に対応した撮影情報に基づいて、撮影情報に関連する付加情報（例えば、観光地情報）を複数入手し、複数の付加情報の中から目的の付加情報を選択すると、この選択した付加情報と画像情報とを同一の用紙上に並べて印刷している。
【０００５】
また、特許文献２の画像表題受信機能を有するカメラ、画像表題送受信システム、画像表題送受信方法及び電子アルバムでは、デジタルカメラは、撮影した位置の方位を計測し、この方位情報に基づいた撮影画像の表題を取得するために、方位情報が付加された表題送信要求を表題配信システムに送る。表題配信システムは、方位情報に基づいて、表題情報を検索して抽出し、抽出した表題情報をデジタルカメラに送信する。デジタルカメラは、受信した表題情報と画像情報とを関連付けて記憶する。そして、撮影画像を印刷するときに、表題情報を表面または裏面に印刷している。
【特許文献１】特開２００１−３６８４２号公報
【特許文献２】特開２００２−２８１４２９号公報
【発明の開示】
【発明が解決しようとする課題】
【０００６】
しかしながら、特許文献１及び特許文献２では、撮影位置の位置情報に係る施設情報を複数の情報の中から選択可能であるが、その施設情報は、施設内に位置する他の施設との包含関係を含んでおらず、撮影画像と施設情報とを印刷する場合に、単独の施設名しか印刷することができないという問題があった。
【０００７】
本発明は、上記課題を解決するためになされたものであり、撮影画像と撮影位置が位置する複数の施設名とを同一の印刷用紙に印刷することができる画像施設名印刷装置及び方法を提供することを目的とする。
【課題を解決するための手段】
【０００８】
上記目的を達成するために、本発明の画像施設名印刷装置は、撮影位置の位置データを有する撮影画像データに基づいて、施設の位置及び名称データを含む施設データを有する地図データから前記撮影位置が位置する施設の施設データを検索する施設検索手段と；前記撮影画像と前記施設検索手段で検索された施設データの施設名とを同一の印刷用紙に印刷する印刷手段と；を備えた画像施設名印刷装置であって、前記印刷手段は、前記施設検索手段で複数の施設データが検索されたときに、前記検索された複数の施設データの施設名を印刷することを特徴とする。なお、前記地図データとしては、世界地図、日本地図、関東地方地図、関西地方地図等の地図データが挙げられる。また、前記施設としては、遊園地、遊園地内の観覧車やジェットコースター、駅、学校等が挙げられる。
【０００９】
なお、前記印刷手段は、前記施設検索手段で検索された複数の施設名を、施設内に位置する他の施設との包含関係に基づいて印刷することが好ましい。なお、前記印刷手段は、前記施設検索手段で検索された複数の施設名を、検索施設内に位置する他の検索施設の数量が多い順に印刷することが好ましく、例えば、遊園地内の観覧車で撮影した場合には、前記検索された複数の施設名としては、遊園地及び観覧車となり、遊園地内には前記検索施設としての観覧車が位置し、観覧車内には前記検索施設がないため、前記印刷手段は、遊園地、観覧車の順に前記印刷用紙に印刷する。
【００１０】
また、前記施設検索手段で検索された施設名を表示する検索施設名表示手段を備えることが好ましい。
【００１１】
さらに、前記施設検索手段で検索された施設に近接する施設名を一覧表示する近接施設名表示手段と；操作可能に設けられ、前記近接施設名表示手段に表示された各施設名のうちのいずれかを選択する選択操作手段と；を備え、前記選択操作手段で各施設名のうちのいずれかを選択したときに、前記印刷手段は、前記施設検索手段で検索された施設名に代えて、前記選択操作手段で選択した施設名を印刷することが好ましい。
【００１２】
また、前記近接施設名表示手段は、各施設名を、前記施設検索手段で検索された施設に近い順に一覧表示することが好ましい。
【００１３】
さらに、前記撮影画像データを一覧表示する一覧表示手段と；前記一覧表示手段で表示された前記撮影画像データのうちのいずれかを選択したときに、選択された撮影画像データを拡大表示する選択画像表示手段と；を備え、前記印刷手段は、前記選択された撮影画像と、この選択された撮影画像の撮影位置が位置する施設名と、を印刷することが好ましい。
【００１４】
また、前記施設名を前記印刷用紙の表面及び裏面のいずれの面に印刷するかを決定するとともに、前記施設名を前記印刷用紙上のいずれの位置に印刷するかを決定する印刷位置決定手段を備えることが好ましい。
【００１５】
さらに、前記撮影画像データと前記施設データとを関連付けて記憶する画像データ記憶手段を備えることが好ましい。また、前記地図データを記憶する地図データ記憶手段を備えることが好ましい。さらに、前記地図データを記憶した外部データサーバーと通信可能な通信手段を備えることが好ましい。
【００１６】
さらに、本発明の画像施設名印刷方法は、撮影位置の位置データを有する撮影画像データに基づいて、施設の位置及び名称データを含む施設データを有する地図データから前記撮影位置が位置する施設の施設データを検索し、前記撮影画像と前記検索された施設データの施設名とを同一の印刷用紙に印刷する画像施設名印刷方法であって、前記施設データの検索で複数の施設データが検索されたときに、前記検索された複数の施設データの施設名を印刷することを特徴とする。
【００１７】
また、前記検索された複数の施設名を、施設内に位置する他の施設との包含関係に基づいて印刷することが好ましい。
【発明の効果】
【００１８】
本発明の画像施設名印刷装置によれば、撮影位置の位置データを有する撮影画像データに基づいて、施設の位置及び名称データを含む施設データを有する地図データから撮影位置が位置する施設の施設データを検索する施設検索手段と；撮影画像と施設検索手段で検索された施設データの施設名とを同一の印刷用紙に印刷する印刷手段と；を備え、印刷手段は、施設検索手段で複数の施設データが検索されたときに、検索された複数の施設データの施設名を印刷するから、印刷用紙に、単独の施設名しか印刷することができないタイプに比べて、撮影位置の把握を容易に行うことができる。
【００１９】
また、印刷手段は、施設検索手段で検索された複数の施設名を、施設内に位置する他の施設との包含関係に基づいて印刷するから、撮影位置の把握を、より一層容易に行うことができる。
【００２０】
さらに、施設検索手段で検索された施設名を表示する検索施設名表示手段を備えたから、施設検索手段で検索された施設名を視認することができる。
【００２１】
また、施設検索手段で検索された施設に近接する施設名を一覧表示する近接施設名表示手段と；操作可能に設けられ、近接施設名表示手段に表示された各施設名のうちのいずれかを選択する選択操作手段と；を備え、選択操作手段で各施設名のうちのいずれかを選択したときに、印刷手段は、施設検索手段で検索された施設名に代えて、選択操作手段で選択した施設名を印刷するから、容易に印刷手段により印刷する施設名を変更することができる。
【００２２】
また、本発明の画像施設名印刷方法によれば、撮影位置の位置データを有する撮影画像データに基づいて、施設の位置及び名称データを含む施設データを有する地図データから撮影位置が位置する施設の施設データを検索し、撮影画像と検索された施設データの施設名とを同一の印刷用紙に印刷する画像施設名印刷方法であって、施設データの検索で複数の施設データが検索されたときに、検索された複数の施設データの施設名を印刷するから、印刷用紙に、単独の施設名しか印刷することができない方法に比べて、撮影位置の把握を容易に行うことができる。
【発明を実施するための最良の形態】
【００２３】
図１に示すように、本発明を実施した画像ランドマーク名印刷装置（画像施設名印刷装置）２は、ＣＰＵ（施設検索手段）３、ＲＯＭ（地図データ記憶手段）４、ＲＡＭ（画像データ記憶手段）５、ＬＣＤ６、選択操作部（選択操作手段）７、印刷部（印刷手段）８を備えたパーソナルコンピュータから構成されている。ＲＯＭ４には、詳しくは後述する概略の日本の地図データが記憶されている。選択操作部７は、ＣＰＵ３にデータを入力するためのものであり、キーボードやマウス等を備えて構成されている。
【００２４】
デジタルカメラ１１は、シャッタボタンや撮影レンズ等を含む公知の撮影ユニット１２と、現在位置を測位してその位置データを取得するＧＰＳユニット１３と、制御部１４とを備え、撮影した画像データを記憶するメモリカード１５が着脱自在にセットされている。ＧＰＳユニット１３は、アンテナ１６、ＧＰＳ算出部１７を有する。アンテナ１６は、地球を周回しているＧＰＳ衛星からの電波を受信する。この受信した電波は、ＧＰＳ算出部１７に送られる。ＧＰＳ算出部１７には、入力された電波に基づき、現在位置の位置データ（緯度・経度）を算出する算出プログラムが格納されている。
【００２５】
撮影ユニット１２を操作して撮影を行うと、制御部１４からＧＰＳ算出部１７にプログラム起動信号が出力され、ＧＰＳ算出部１７は、算出プログラムを起動して、アンテナ１６から入力される電波に基づき、現在位置の位置データ（緯度・経度）を算出し、算出した位置データを制御部１４に送る。そして、制御部１４は、撮影した画像データに、ＧＰＳ算出部１７から入力される位置データを記憶した後、画像データをメモリカード１５に記憶する。
【００２６】
メモリカード１５に記憶された画像データを、画像ランドマーク名印刷装置２に入力するには、メモリカード１５をデジタルカメラ１１から抜き取り、メモリカード１５を画像ランドマーク名印刷装置２のメモリカード挿入口に挿入する。メモリカード挿入口にメモリカード１５が挿入されると、ＣＰＵ３は、メモリカード１５内の画像データを読み取り、読み取った画像データをＲＡＭ５に記憶する。
【００２７】
図２に示すように、ＣＰＵ３は、メモリカード１５から読み取った画像データをＲＡＭ５に記憶した後、ＬＣＤ６に画像一覧表示画面２１を表示する。画像一覧表示画面２１には、画像データがサムネイル画像として表示される。
【００２８】
図３に示すように、選択操作部７を操作して、画像一覧表示画面２１に表示されたサムネイル画像のうちのいずれ１つを選択すると、ＣＰＵ３は、ＲＯＭ４に格納されたランドマーク名検索を行うためのランドマーク名検索プログラムを起動し、ＬＣＤ６にランドマーク選択画面２２を表示する。ランドマーク選択画面２２には、画像表示部２３と、印刷ランドマーク名決定部２４と、が設けられている。画像表示部２３には、上記選択されたサムネイル画像が拡大表示される。なお、画像表示部２３に、表示する画像のサイズを変更するためのサイズ変更ボタンを設けてもよい。また、本実施形態では、ＬＣＤ６は、撮影画像データを一覧表示する一覧表示手段、及び、選択された撮影画像データを拡大表示する選択画像表示手段としても機能する。
【００２９】
ランドマーク名検索プログラムが起動されると、詳しくは後述するように、ＣＰＵ３は、画像表示部２３に表示された画像データに記憶された位置データに基づき、ＲＯＭ４を検索して、撮影位置のランドマーク名を検索する。そして、ＣＰＵ３は、検索したランドマークのランドマーク名データ（以下、ＬＭ名データ）を、画像表示部２３に表示された画像データに記憶した後、画像データをＲＡＭ５に記憶する。
【００３０】
印刷ランドマーク名決定部２４には、ランドマーク名表示部（以下、ＬＭ名表示部）２４ａと、ランドマーク名選択部（以下、ＬＭ名選択部）２４ｂと、ランドマーク名印刷面変更ボタン（以下、ＬＭ名印刷面変更ボタン）２４ｃと、印刷ボタン２４ｄと、が設けられている。
【００３１】
ＬＭ名表示部２４ａには、検索されたランドマーク名が表示される。検索されたランドマーク名が複数ある場合には、ＬＭ名表示部２４ａには、検索ランドマーク内に位置する他の検索ランドマークの数量が多い順に、ランドマーク名が表示される。本実施形態では、α遊園地内にβ観覧車とγジェットコースターとが設けられており、画像表示部２３に表示された画像データに記憶された位置データが、α遊園地内のβ観覧車内の位置データである実施形態について説明を行う。すなわち、ＬＭ名表示部２４ａには、α遊園地、β観覧車の順に、「α遊園地  β観覧車」と表示される。なお、本実施形態では、ＬＣＤ６は、ＣＰＵ３で検索されたランドマーク名（施設名）を表示する検索施設名表示手段としても機能する。
【００３２】
ＬＭ名選択部２４ｂには、ＬＭ名表示部２４ａに表示されたランドマークに近接するランドマーク名が、表示ランドマーク（α遊園地  β観覧車）に近い順に表示される。本実施形態では、α遊園地はα駅に近接しており、α駅、α遊園地、β観覧車、γジェットコースターは、互いに近接したランドマークとされている実施形態について説明を行う。すなわち、ＬＭ名表示部２４ａに「α遊園地  β観覧車」と表示された場合には、ＬＭ名選択部２４ｂには、「α遊園地  γジェットコースター」「α遊園地」、「α駅」の順に表示される。なお、本実施形態では、ＬＣＤ６は、ＣＰＵ３で検索されたランドマーク名（施設名）に近接するランドマーク名を一覧表示する近接施設名表示手段としても機能する。
【００３３】
ＬＭ名印刷面変更ボタン２４ｃは、ＬＭ名表示部２４ａに表示されたランドマーク名（α遊園地  β観覧車）を、印刷用紙２６の表面（撮影画像が印刷される面）及び裏面のいずれに印刷するかを変更するものであり、通常は「裏面」と表示されている。ＬＭ名印刷面変更ボタン２４ｃに「裏面」と表示されている状態では、ランドマーク名は印刷用紙２６に表面に印刷され、ランドマーク名を印刷用紙２６の裏面に印刷したい場合には、選択操作部７により、「裏面」と表示されたＬＭ名印刷面変更ボタン２４ｃを操作する。これにより、ランドマーク名が印刷される印刷用紙２６の面が裏面となる。このとき、ＬＭ名印刷面変更ボタン２４ｃには、「表面」と表示される。この状態から、印刷用紙２６の表面にランドマーク名を印刷したい場合には、選択操作部７により、「表面」と表示されたＬＭ名印刷面変更ボタン２４ｃを操作する。すなわち、ＬＭ名印刷面変更ボタン２４ｃを操作する度に、ランドマーク名が印刷される印刷用紙２６の面が変更される。
【００３４】
また、ＬＭ名印刷面変更ボタン２４ｃの操作により、印刷用紙２６の裏面にランドマーク名が印刷される状態では、画像表示部２３には、撮影画像ではなく、印刷される裏面の状態が表示される。印刷用紙２６の表面及び裏面のどちらの面にランドマーク名を印刷するかを決定した後、選択操作部７を操作して、ランドマーク名を決定した印刷面のいずれの位置に印刷するかを決定する。本実施形態では、ランドマーク名（「α遊園地  β観覧車」）を、印刷用紙２６の表面の右下部に印刷する実施形態について説明を行う。本実施形態では、ランドマーク名を印刷用紙２６の表面及び裏面のいずれの面に印刷するかを決定するとともに、ランドマーク名を印刷用紙２６上のいずれの位置に印刷するかを決定する印刷位置決定手段は、選択操作部７とＬＭ名印刷面変更ボタン２４ｃとを備えて構成される。なお、印刷用紙２６に印刷するランドマーク名（「α遊園地  β観覧車」）のサイズ及び向き（縦または横）を変更するボタンを設けてもよい。
【００３５】
印刷ボタン２４ｄは、画像表示部２３に表示された撮影画像を印刷させるためのものであり、選択操作部７により印刷ボタン２４ｄを操作すると、印刷部８は、画像表示部２３に表示された撮影画像を印刷用紙２６に印刷するとともに、同一の印刷用紙２６に、ランドマーク名をＬＭ名表示部２４ａに表示された順（「α遊園地  β観覧車」）に印刷する。すなわち、検索されたランドマーク名が複数ある場合、複数の検索ランドマーク名は、検索ランドマーク内に位置する他の検索ランドマークの数量が多い順に、印刷用紙２６に印刷される。そして、図４に示すように、印刷用紙２６は、画像ランドマーク名印刷装置２から排出される。
【００３６】
デジタルカメラ１１で撮影を行うと、制御部１４からＧＰＳ算出部１７にプログラム起動信号が出力され、ＧＰＳ算出部１７は、算出プログラムを起動して、アンテナ１６から入力される電波に基づき、現在位置の位置データを算出し、算出した位置データを制御部１４に送る。ＧＰＳ衛星からの電波による撮影位置の算出は、高精度ではないため、ＧＰＳ算出部１７で算出した位置データが、実際の撮影位置とは異なる場合がある（例えば、β観覧車で撮影したときに、算出した位置データはγジェットコースターの位置データ）。この場合の画像データには、ＬＭ名データとしてγジェットコースターのデータが記憶される。この画像データの画像を画像表示部２３に表示した場合には、図５に示すように、画像とＬＭ名表示部２４ａに表示されるランドマーク名とが異なることになる（画像はβ観覧車で、ランドマーク名は「α遊園地  γジェットコースター」）。この場合には、ランドマーク名を正しいもの（「α遊園地  β観覧車」）に変更する必要がある。
【００３７】
選択操作部（選択操作手段）７を操作して、ＬＭ名選択部２４ｂに表示されたランドマーク名のいずれか（「α遊園地  β観覧車」）を選択すると、選択されたランドマーク名（「α遊園地  β観覧車」）がＬＭ名表示部２４ａに表示され、ＣＰＵ３は、ＬＭ名表示部２４ａに表示されたランドマーク名のＬＭ名データ（α遊園地  β観覧車）を、画像表示部２３に表示された画像データに記憶した後、画像データをＲＡＭ５に記憶する。このとき、ＣＰＵ３は、既に画像データに記憶されているＬＭ名データ（α遊園地  γジェットコースター）の上に新たなＬＭ名データ（α遊園地  β観覧車）を上書きして記憶する。すなわち、画像データに記憶されたＬＭ名データは、新たなＬＭ名データ（α遊園地  β観覧車）に書き換えられる。これにより、ＬＭ名データを、画像に対応した正しいもの（α遊園地  β観覧車）に変更することができる。
【００３８】
画像ランドマーク名印刷装置２のＲＯＭ１２には、概略の日本の地図データが記憶されている。この地図データは、図６に概略的に二次元で示すように、始点緯度３０°、始点経度１２８°、終点緯度４６°、終点経度１４７°の範囲を、緯線方向に４０分（２／３°）ピッチで、経線方向に１°ピッチで等間隔に複数の分割エリアに分割した地図の地図データである。
【００３９】
地図データは、図７に示す分割エリアデータテーブルと、図８に示す分割エリア一覧テーブルとを含んで構成されている。分割エリアデータテーブルには、１個の分割エリアの緯線方向の長さ（＝２／３°）、１個の分割エリアの経線方向の長さ（＝１°）、緯線方向の分割エリア個数（＝２４）、経線方向の分割エリア個数（＝１９）、地図の始点緯度（＝３０°）、地図の始点経度（＝１２８°）が記憶されている。
【００４０】
分割エリア一覧テーブルには、全ての分割エリアの始点緯度及び始点経度のデータが記憶されている。地図データは、地図の始点となる図６中ハッチングされた分割エリアＡ（０，０）から、地図の終点となる分割エリアＡ（１８，２３）までの４５６個の分割エリアで構成される。なお、上記した（  ）内の数値は、左側の数値が、経線方向において分割エリアＡ（０，０）から何個目の分割エリアかを示し、右側の数値が、緯線方向において分割エリアＡ（０，０）から何個目の分割エリアかを示している。例えば、分割エリアＡ（１０，１５）は、経線方向において分割エリアＡ（０，０）から１０個目、緯線方向において分割エリアＡ（０，０）から１５個目の分割エリアとなる。
【００４１】
なお、図６〜図８においては、図面の乱雑を避けるために、１個の分割エリアが、緯線方向に４０分（２／３°）、経線方向に１°となるように、地図データを等間隔で分割したが、実際には、もっと細かいピッチで分割されるものであり、例えば、１個の分割エリアは、緯線方向に１０ｋｍ、経線方向に１０ｋｍ程度であることが好ましく、分割エリアのサイズに応じて、経線方向の分割エリア個数と緯線方向の分割エリア個数とは変更されるものである。
【００４２】
図９に示すように、地図データには、複数の分割エリア毎に、分割エリア内に位置する主要なランドマーク（例えば、遊園地や駅や学校等）それぞれに割り振られたＩＤ番号、ランドマークの名前（ＬＭ名）、ランドマークのエリア座標（ＬＭエリア座標）、拡張幅、矩形エリア座標、親データ、子データの各セクションのデータが記憶されたランドマークデータテーブル（施設データ）が含まれている。本実施形態では、分割エリアＡ（１１，８）内に、α遊園地が位置し、このα遊園地内にβ観覧車及びγジェットコースターが位置する実施形態について説明を行う。
【００４３】
拡張幅セクションには、矩形エリア座標を形成するための、ＬＭエリア座標から四方に拡張させる拡張幅（例えば、ｍ単位）が記憶されている。本実施形態では、α遊園地の拡張幅は５ｍ、β観覧車の拡張幅は３ｍ、γジェットコースターの拡張幅は３ｍに設定されている。なお、拡張幅の長さは適宜変更可能である。
【００４４】
α遊園地はＩＤ番号＝１００、β観覧車はＩＤ番号＝１０１、γジェットコースターはＩＤ番号＝１０２とされている。β観覧車及びγジェットコースターは、α遊園地内に位置するため、これらランドマークの親子関係（包含関係）としては、α遊園地を親としたときに、β観覧車及びγジェットコースターはα遊園地の子となる。このため、α遊園地の子データセクションには、β観覧車及びγジェットコースターのＩＤ番号である「１０１、１０２」が記憶され、β観覧車及びγジェットコースターの親データセクションには、α遊園地のＩＤ番号である「１００」が記憶されている。
【００４５】
図１０は、α遊園地のエリアデータを概略的に二次元で示した平面図であり、α遊園地は、５角形状に形成されたランドマークであり、５個の頂点の各座標（（αｘ１，αｙ１）（αｘ２，αｙ２）（αｘ３，αｙ３）（αｘ４，αｙ４）（αｘ５，αｙ５））のデータが、ランドマークデータテーブルのＬＭエリア座標セクション（図９参照）に記憶されている。これら５個の頂点を通る線で囲まれたエリアが、α遊園地ＬＭエリアとなる。α遊園地から四方に拡張幅分（５ｍ）拡張されたエリアが、α遊園地拡張エリアとなり、さらには、α遊園地拡張エリアの緯線方向及び経線方向の頂点を通る線で矩形状に形成されたエリアが、α遊園地矩形エリアとなる。α遊園地矩形エリアの４個の頂点の各座標（（Ｒαｘ１，Ｒαｙ１）（Ｒαｘ２，Ｒαｙ２）（Ｒαｘ３，Ｒαｙ３）（Ｒαｘ４，Ｒαｙ４））のデータは、ランドマークデータテーブルの矩形エリア座標セクション（図９参照）に記憶されている。
【００４６】
図１１は、α遊園地に設けられたβ観覧車のエリアデータを示した平面図である。β観覧車は、４角形状に形成されたランドマークであり、４個の頂点の各座標（（βｘ１，βｙ１）（βｘ２，βｙ２）（βｘ３，βｙ３）（βｘ４，βｙ４））のデータが、ランドマークデータテーブルのＬＭエリア座標セクション（図９参照）に記憶されている。これら４個の頂点を通る線で囲まれたエリアが、β観覧車ＬＭエリアとなる。β観覧車から四方に拡張幅分（３ｍ）拡張されたエリアが、β観覧車拡張エリアとなり、さらには、β観覧車拡張エリアの緯線方向及び経線方向の頂点を通る線で矩形状に形成されたエリアが、β観覧車矩形エリアとなる。β観覧車矩形エリアの４個の頂点の各座標（（Ｒβｘ１，Ｒβｙ１）（Ｒβｘ２，Ｒβｙ２）（Ｒβｘ３，Ｒβｙ３）（Ｒβｘ４，Ｒβｙ４））のデータは、ランドマークデータテーブルの矩形エリア座標セクション（図９参照）に記憶されている。
【００４７】
図１２は、α遊園地に設けられたγジェットコースターのエリアデータを示した平面図であり、γジェットコースターは、６角形状に形成されたランドマークであり、６個の頂点の各座標（（γｘ１，γｙ１）（γｘ２，γｙ２）（γｘ３，γｙ３）（γｘ４，γｙ４）（γｘ５，γｙ５）（γｘ６，γｙ６））のデータが、ランドマークデータテーブルのＬＭエリア座標セクション（図９参照）に記憶されている。これら６個の頂点を通る線で囲まれたエリアがγジェットコースターＬＭエリアとなる。γジェットコースターから四方に拡張幅分（３ｍ）拡張されたエリアが、γジェットコースター拡張エリアとなり、さらには、γジェットコースター拡張エリアの緯線方向及び経線方向の頂点を通る線で矩形状に形成されたエリアが、γジェットコースター矩形エリアとなる。γジェットコースター矩形エリアの４個の頂点の各座標（（Ｒγｘ１，Ｒγｙ１）（Ｒγｘ２，Ｒγｙ２）（Ｒγｘ３，Ｒγｙ３）（Ｒγｘ４，Ｒγｙ４）（Ｒγｘ５，Ｒγｙ５（Ｒγｘ５，Ｒγｙ５））のデータは、ランドマークデータテーブルの矩形エリア座標セクション（図９参照）に記憶されている。
【００４８】
図１に示すように、メモリカード１５をＣＰＵ３に接続すると、ＣＰＵ３は、メモリカード１５内の画像データを読み取り、読み取った画像データをＲＡＭ５に記憶するとともに、ＬＣＤ６に画像一覧表示画面２１を表示する。画像一覧表示画面２１には、画像データがサムネイル画像として表示される。選択操作部７を操作して、画像一覧表示画面２１に表示されたサムネイル画像のうちのいずれ１つを選択すると、ＣＰＵ３は、選択された画像データに記憶された位置データ（例えば、撮影位置＝Ｐ１（緯度＝３５．７°、経度＝１３９．７°））に基づき、ＲＯＭ４を検索して、ＲＯＭ４に記憶された地図データの全ての分割エリアから、撮影位置が含まれる分割エリアを選定する。
【００４９】
分割エリアの検索方法としては、撮影位置Ｐ１の緯度（＝３５．７°）から地図の始点緯度（＝３０°）を減算し、減算して得られた数値（＝５．７°）を１分割エリアの緯線方向の長さ（＝２／３°）で除算し、除算して得られた数値（＝８．５５）の小数点以下を切り捨てる。こうして得られた数値（＝８）が、緯線方向において始点分割エリア（図６におけるハッチングされた分割エリア）から何個目の分割エリアかを示す数値となる。
【００５０】
また、撮影位置Ｐ１の経度（＝１３９．７°）から地図の始点経度（＝１２８°）を減算し、減算して得られた数値（＝１１．７°）を１分割エリアの経線方向の長さ（＝１°）で除算し、除算して得られた数値（＝１１．７）の小数点以下を切り捨てる。こうして得られた数値（＝１１）が、経線方向において始点分割エリア（図６におけるハッチングされた分割エリア）から何個目の分割エリアかを示す数値となる。撮影位置データが、撮影位置Ｐ１（緯度＝３５．７°、経度＝１３９．７°）の場合には、緯線方向において始点分割エリアから８個目、経線方向において始点分割エリアから１１個目の分割エリアとなる。このように、撮影位置が含まれる分割エリアを、撮影位置データ（緯度・経度）を用いて計算式により検索するから、撮影位置データと全ての分割エリア（４５６個）とを対比させて、撮影位置が含まれる分割エリアを検索するものに比べて、検索に要する時間を短縮することができる。
【００５１】
分割エリアの検索が終了すると、ＣＰＵ３は、次にランドマークの検索を行う。このとき、ＣＰＵ３は、上記したように検索（選定）された分割エリアＡ（１１，８）内のみのランドマークの検索を行う。本実施形態では、撮影位置Ｐ１（緯度＝３５．７°、経度＝１３９．７°）が、α遊園地内のβ観覧車内の位置である場合について説明する。
【００５２】
ＣＰＵ３は、分割エリアＡ（１１，８）内のランドマークを検索し、撮影位置Ｐ１が含まれる矩形エリア（１個または複数）を選定する。撮影位置Ｐ１の場合には、検索結果として、α遊園地矩形エリアとβ観覧車矩形エリアとが選定される。
【００５３】
次に、ＣＰＵ３は、撮影位置Ｐ１からα遊園地ＬＭエリア及びβ観覧車ＬＭエリアまでの距離Ｌ（距離Ｌα、距離Ｌβ）を算出する。先ず、撮影位置Ｐ１が各ＬＭエリア内の位置であるかを、公知の判定方法である多角形の内外判定法により判定する。ここで、撮影位置Ｐ１がＬＭエリア内の位置であると判定された場合、上記した距離Ｌ＝０（ゼロ）となる。一方、撮影位置Ｐ１がＬＭエリア内の位置でないと判定された場合、撮影位置Ｐ１からＬＭエリアを形成する各辺までの最短距離が距離Ｌとなる。撮影位置Ｐ１はα遊園地内のβ観覧車内の位置であり、α遊園地ＬＭエリアに対する距離ＬはＬα１＝０（ゼロ）となり、β観覧車ＬＭエリアに対する距離Ｌβ１＝０（ゼロ）となる。
【００５４】
そして、ＣＰＵ３は、距離Ｌ＝０となるランドマークがあるか否かを判定する。ＣＰＵ３は、距離Ｌ＝０となるランドマークがある（α遊園地、β観覧車）と判定した場合には、距離Ｌ＝０となるランドマーク（α遊園地、β観覧車）を、撮影位置Ｐ１（緯度＝３５．７°、経度＝１３９．７°）のランドマークとして選定する。
【００５５】
最終的に選定（検索）されたランドマーク名が複数ある場合には、ＣＰＵ３は、親データセクション及び子データセクションに基づいて、最終的に検索されたランドマーク名（α遊園地、β観覧車）の親子関係を判定し、ランドマーク内に位置する最終的に検索されたランドマークの数量を調べる。この場合には、α遊園地はβ観覧車の親であり、α遊園地内に位置する最終的に検索されたランドマークの数量は１個、β観覧車に位置する最終的に検索されたランドマークの数量は０（ゼロ）個となる。そして、ＣＰＵ３は、最終的に選定されたランドマーク名（α遊園地、β観覧車）を、親、子の順（ランドマーク内に位置する最終的に検索されたランドマークの数量が多い順）に、ランドマーク選択画面２２のＬＭ名表示部２４ａに表示する（「α遊園地  β観覧車」）。さらに、ＣＰＵ３は、最終的に選定されたランドマーク名（α遊園地、β観覧車）のＬＭ名データを画像データに記憶した後、画像データをＲＡＭ５に記憶する。なお、ＬＭ名データを画像データに記憶する代わりに、ＬＭ名データと画像データとを関連付けてＲＡＭ５に記憶するようにしてもよい。
【００５６】
なお、撮影位置Ｐ１が含まれるランドマーク名（最終的に選定（検索）されたランドマーク名）が複数ある場合には、ＣＰＵ３は、最終的に検索されたランドマーク名（α遊園地、β観覧車）を、入力位置Ｐ１から近い順（β観覧車、α遊園地の順）に、ランドマーク選択画面２２のＬＭ名表示部２４ａに表示する（「β観覧車  α遊園地」）ようにしてもよい。
【００５７】
また、図１０に示すように、撮影位置データ（撮影位置Ｐ２）が、α遊園地外で拡張エリア内を示す位置データである場合（距離Ｌ＝０となるランドマークがないと判定された（Ｌ＞０）場合）には、ＣＰＵ３は、撮影位置Ｐ２が含まれる矩形エリアを有するランドマークの検索結果として、α遊園地を選定する。次に、撮影位置Ｐ２からＬＭエリア座標セクションに記憶されたα遊園地ＬＭエリアまでの距離Ｌを計算し、距離Ｌα２として算出する。そして、ＣＰＵ３は、距離Ｌ（距離Ｌα２）と、ランドマークデータテーブルのα遊園地の拡張幅セクションに記憶された拡張幅とが、距離Ｌ≦拡張幅の関係を満たしているか否かを判定する。距離Ｌが距離Ｌα２の場合には、距離Ｌ≦拡張幅と判定され、α遊園地は最終的に選定するランドマークとして選定される。
【００５８】
そして、ＣＰＵ３は、最終的に選定されたランドマーク名（「α遊園地」）を、ランドマーク選択画面２２のＬＭ名表示部２４ａに表示するとともに、最終的に選定されたランドマーク（α遊園地）のＬＭ名データを画像データに記憶した後、画像データをＲＡＭ５に記憶する。
【００５９】
また、図１０に示すように、撮影位置データ（撮影位置Ｐ３）が、拡張エリア外で矩形エリア内を示す位置データである場合には、ＣＰＵ３は、撮影位置Ｐ３が含まれる矩形エリアを有するランドマークの検索結果として、α遊園地を選定する。次に、撮影位置Ｐ３からＬＭエリア座標セクションに記憶されたα遊園地のＬＭエリアまでの距離Ｌを計算し、距離Ｌα３として算出する。そして、ＣＰＵ３は、距離Ｌ≦拡張幅の関係を満たしているか否かを判定する。なお、撮影位置Ｐ３が含まれる矩形エリアを有するランドマークが複数ある場合には、複数のランドマークのうちの撮影位置Ｐ３から最も近いランドマーク（この場合には、α遊園地）に対して判定を行う。距離Ｌ＝距離Ｌα３の場合には、距離Ｌ≦拡張幅でないと判定され、α遊園地は最終的に選定するランドマークとしては選定されない。すなわち、撮影位置Ｐ３（撮影地点）は、ランドマーク内ではないと判定される。
【００６０】
次に、ＣＰＵ３は、ランドマーク選択画面２２のＬＭ名表示部２４ａに「この画像の撮影地点は主要のランドマーク内ではありません」と表示するとともに、「この画像の撮影地点は主要のランドマーク内ではない」旨のデータを画像データに記憶させた後、画像データをＲＡＭ５に記憶する。
【００６１】
上記のように構成された画像ランドマーク名印刷装置２の作用について、図１３のフローチャートを用いて説明を行う。メモリカード１５をＣＰＵ３に接続すると、ＣＰＵ３は、メモリカード１５内の画像データを読み取り、読み取った画像データをＲＡＭ５に記憶する（ステップ（以下、Ｓ）１）とともに、画像データをサムネイル画像として画像一覧表示画面２１に表示する（Ｓ２）。
【００６２】
選択操作部７を操作して、画像一覧表示画面２１に表示されたサムネイル画像のうちのいずれ１つを選択する（Ｓ３）と、ＣＰＵ３は、画像表示部２３に、上記選択されたサムネイル画像を拡大表示するとともに、選択された画像データに記憶された位置データ（例えば、撮影位置＝Ｐ１（緯度＝３５．７°、経度＝１３９．７°））に基づき、ＲＯＭ４を検索して、撮影位置Ｐ１のランドマーク（α遊園地、β観覧車）を選定（検索）し、ＬＭ名表示部２４ａに、ランドマーク内に位置する最終的に検索されたランドマークの数量が多い順にランドマーク名を表示（「α遊園地  β観覧車」）する（Ｓ４）。そして、ＣＰＵ３は、最終的に検索されたランドマーク名（α遊園地、β観覧車）のＬＭ名データを画像データに記憶した後、画像データをＲＡＭ５に記憶する（Ｓ５）。
【００６３】
次に、ＣＰＵ３は、ＬＭ名選択部２４ｂに、ＬＭ名表示部２４ａに表示されたランドマークに近接するランドマーク名を、表示ランドマークに近い順（「α遊園地  γジェットコースター」「α遊園地」、「α駅」の順）に表示する（Ｓ６）。
【００６４】
ユーザは、画像表示部２３に表示された画像と、ＬＭ名表示部２４ａに表示されたランドマーク名とを参照して、ランドマーク名を修正する必要があるか否かを判定する（Ｓ７）。ここで、ランドマーク名を修正する必要がある（画像が「β観覧車」で、表示ランドマーク名が「α遊園地  γジェットコースター」）と判定した場合には、ＬＭ名選択部２４ｂに表示されたランドマーク名から、画像に対応したランドマーク名（「α遊園地  β観覧車」）を選択する（Ｓ８）。そして、ＣＰＵ３は、選択されたランドマーク名（「α遊園地  β観覧車」）のＬＭ名データを、画像表示部２３に表示された画像データに記憶した後、画像データをＲＡＭ５に記憶する（Ｓ９）。
【００６５】
次に、選択操作部７を操作して、印刷用紙２６の表面及び裏面のどちらの面にランドマーク名を印刷するかを決定（印刷用紙２６の表面の右下部）するとともに、ランドマーク名を、決定した印刷面のいずれの位置に印刷するかを決定（例えば、印刷用紙２６の表面の右下部）する（Ｓ１０）。そして、印刷ボタン２４ｄを操作する（Ｓ１１）と、印刷部８は、画像表示部２３に表示された画像データの画像を印刷用紙２６に印刷するとともに、印刷用紙２６の表面（撮影画像が印刷される面）の右下部に、検索されたランドマーク名（「α遊園地  β観覧車」）を印刷する（Ｓ１２）。
【００６６】
一方、ランドマーク名を修正する必要がないと判定した場合には、選択操作部７を操作して、印刷用紙２６の表面及び裏面のどちらの面にランドマーク名を印刷するかを決定するとともに、ランドマーク名を決定した印刷面のいずれの位置に印刷するかを決定する（Ｓ１０）。そして、印刷ボタン２４ｄを操作する（Ｓ１１）と、印刷部８は、画像表示部２３に表示された画像データの画像を印刷用紙２６に印刷するとともに、印刷用紙２６の表面（撮影画像が印刷される面）の右下部に、検索されたランドマーク名（「α遊園地  β観覧車」）を印刷する（Ｓ１２）。
【００６７】
このように、印刷用紙２６に印刷する画像の撮影位置が位置するランドマークが複数ある場合には、複数のランドマーク名を、印刷用紙２６に印刷するから、例えば、α遊園地内のβ観覧車内で撮影した場合には、印刷用紙２６に「α遊園地  β観覧車」と印刷することができるため、撮影位置である「β観覧車」のみ印刷されるタイプに比べて、撮影位置の把握を容易に行うことができる。
【００６８】
また、印刷用紙２６に印刷する画像の撮影位置が位置するランドマークが複数ある場合には、ランドマーク内に位置する最終的に検索されたランドマークの数量が多い順（α遊園地、β観覧車の順）に、印刷用紙２６に印刷するから、撮影位置の把握を、より一層容易に行うことができる。
【００６９】
さらに、ランドマーク名を印刷する印刷用紙２６の面（表面または裏面）を変更できるとともに、ランドマーク名を印刷する位置を変更することができるから、ユーザは、撮影画像に応じて、ランドマーク名を印刷する印刷用紙２６の面及び位置を変更することができる。
【００７０】
なお、上記実施形態では、子・孫の関係となるフォルダや同等のフォルダに題されたランドマークを、近接するランドマークと称した（例えば、β観覧車に近接するランドマークは、α市、α駅、α遊園地、γジェットコースター）が、近接するランドマークの設定は適宜変更可能である。
【００７１】
また、上記実施形態では、メモリカード１５に、撮影した画像データと、ＧＰＳ算出部１７から入力される位置データとを記憶したが、これに限定されることなく、デジタルカメラ１１にＲＡＭを設け、このＲＡＭに上記したデータを記憶するようにしてもよい。
【００７２】
図１４に他の実施形態を示す。上記実施形態のものと同様の構成部材には同一の符号を付し、その詳細な説明を簡略化する。この実施形態では、画像ランドマーク名印刷装置２は、インターネット３１を介して地図データサーバー（外部データサーバー）３２に接続可能な通信部３３を備える。地図データサーバー３２は、地図データを管理する地図データ管理機構等に設けられており、上記実施形態の地図データが記憶されている。地図データ管理機構は、常時、最新の地図データを地図データサーバー３２に記憶している。なお、本実施形態では、地図データを記憶した地図データサーバー（外部データサーバー）３２と通信可能な通信手段は、インターネット３１と通信部３３とを備えて構成される。
【００７３】
ＣＰＵ３は、画像データに記憶された位置データに基づき、通信部３３及びインターネット３１を介して地図データサーバー３２に接続し、地図データサーバー３２内の地図データを検索して、ＬＭ名データを選定し、選定したＬＭ名データを画像データに記憶した後、画像データをＲＡＭ５に記憶する。
【００７４】
このように、最新の地図データを記憶している地図データサーバー３２に、通信部３３及びインターネット３１を介して接続し、地図データサーバー３２内の地図データを検索して、画像データに記憶した位置データに係るＬＭ名データを選定するから、新しく建設されたランドマークでの撮影においても、確実にランドマーク名を確認することができる。
【図面の簡単な説明】
【００７５】
【図１】本発明を実施した画像ランドマーク名印刷装置とデジタルカメラとの電気的構成を示す機能ブロック図である。
【図２】画像一覧表示画面を示す平面図である。
【図３】ランドマーク選択画面を示す平面図である。
【図４】画像とランドマーク名とが印刷された印刷用紙を示す平面図である。
【図５】ランドマーク選択画面を示す平面図である。
【図６】地図データの地図領域を示す平面図である。
【図７】分割エリアデータテーブルの説明図である。
【図８】分割エリア一覧テーブルの説明図である。
【図９】ランドマークデータテーブルの説明図である。
【図１０】α遊園地の地図領域を示す平面図である。
【図１１】β観覧車の地図領域を示す平面図である。
【図１２】γジェットコースターの地図領域を示す平面図である。
【図１３】画像データに記憶された位置データに基づき、撮影位置のランドマークを検索し、撮影画像と検索したランドマーク名とを印刷用紙にするフローチャートである。
【図１４】インターネットを介して地図データが設けられた地図データサーバーに接続する実施形態の画像ランドマーク名印刷装置とデジタルカメラとの電気的構成を示す機能ブロック図である。
【符号の説明】
【００７６】
２  画像ランドマーク名印刷装置（画像施設名印刷装置）
３  ＣＰＵ（施設検索手段）
４  ＲＯＭ（地図データ記憶手段）
５  ＲＡＭ（画像データ記憶手段）
６  ＬＣＤ
７  選択操作部（選択操作手段）
８  印刷部（印刷手段）
１１  デジタルカメラ
１３  ＧＰＳユニット
２１  画像一覧表示画面
２２  ランドマーク選択画面
２３  画像表示部
２４  印刷ランドマーク名決定部
２４ａ  ランドマーク名表示部
２４ｂ  ランドマーク名選択部
２４ｃ  ランドマーク名印刷面変更ボタン
２４ｄ  印刷ボタン
２６  印刷用紙
３１  インターネット
３２  地図データサーバー（外部データサーバー）
３３  通信部
【図１】
2007190831.tif 000003
【図２】
2007190831.tif 000004
【図３】
2007190831.tif 000005
【図４】
2007190831.tif 000006
【図５】
2007190831.tif 000007
【図６】
2007190831.tif 000008
【図７】
2007190831.tif 000009
【図８】
2007190831.tif 000010
【図９】
2007190831.tif 000011
【図１０】
2007190831.tif 000012
【図１１】
2007190831.tif 000013
【図１２】
2007190831.tif 000014
【図１３】
2007190831.tif 000015
【図１４】
2007190831.tif 000016